(57)【要約】【課題】操作領域への誤操作による不適切な動作を防ぐことができ、且つ、操作領域を目視することなく操作する場合の誤操作を防ぐことができる操作監視装置、その操作監視装置を備えたナビゲーション装置、および、その操作監視装置で用いられる操作監視方法を提供する。【解決手段】操作監視装置１は、利用者の接触によって選択された操作領域５を利用者に認識させるための通知を行い、その通知の後に利用者の操作を監視して操作領域５の選択が確定されたか又は選択が取り消されたかを検出する。【選択図】図１
2009025017.tif 000002
【特許請求の範囲】
【請求項１】
１または複数の操作領域を備え且つ利用者に接触される操作部と、前記操作部における接触位置を検出する検出手段と、前記検出手段が検出した接触位置に基づいて前記利用者によって選択された前記操作領域を特定する操作領域特定手段と、を有する操作監視装置において、
前記操作領域特定手段によって特定された操作領域を前記利用者に認識させるための通知を行う操作領域通知手段と、
前記操作領域通知手段が前記特定された操作領域を通知したあと、前記検出手段の検出した接触位置を監視し、該接触位置に基づいて前記特定された操作領域の選択が確定されたか又は選択が取り消されたかを検出する操作検出手段と、
を有することを特徴とする操作監視装置。
【請求項２】
前記操作検出手段が、前記特定された操作領域への接触が予め定められた選択確定時間以上継続したときに前記選択が確定されたことを検出し、且つ、前記特定された操作領域への接触が前記選択確定時間未満で離れたときに前記選択が取り消されたことを検出する手段であることを特徴とする請求項１に記載の操作監視装置。
【請求項３】
前記操作部が、前記操作領域に近接して配置された選択取消領域を備えており、
前記操作検出手段が、前記特定された操作領域への接触が離れたときに前記選択が確定されたことを検出し、且つ、前記特定された操作領域への接触が前記操作部への接触を維持したままスライドされて前記選択取消領域に移動したときに前記選択が取り消されたことを検出する手段であることを特徴とする請求項１に記載の操作監視装置。
【請求項４】
前記操作領域通知手段が、音声による通知を行う手段であることを特徴とする請求項１〜３のいずれか一項に記載の操作監視装置。
【請求項５】
前記操作領域が、前記利用者が接触によって前記操作領域を区別するためにその接触面に突出して形成された識別突出部を有していることを特徴とする請求項１〜４のいずれか一項に記載の操作監視装置。
【請求項６】
請求項１〜５のいずれか一項に記載の操作監視装置を有することを特徴とするナビゲーション装置。
【請求項７】
１または複数の操作領域を備え且つ利用者に接触される操作部と、前記操作部における接触位置を検出する検出手段と、を有する操作監視装置において用いられる操作監視方法であって、
前記検出手段が検出した接触位置に基づいて前記利用者によって選択された前記操作領域を特定する操作領域特定工程と、
前記操作領域特定工程において特定された操作領域を前記利用者に認識させるための通知を行う操作領域通知工程と、
前記特定された操作領域を通知したあと、前記検出手段の検出した接触位置を監視し、該接触位置に基づいて前記特定された操作領域の選択が確定されたか又は選択が取り消されたかを検出する操作検出工程と、
を有することを特徴とする操作監視方法。
【発明の詳細な説明】
【技術分野】
【０００１】
本発明は、利用者の接触によって行われる操作を監視する操作監視装置、その操作監視装置を備えたナビゲーション装置、及び、その操作監視装置で用いられる操作監視方法に関する。
【背景技術】
【０００２】
静電容量の変化を計測することで利用者の接触を検出する静電スイッチなど、利用者の接触を検出する接触検出スイッチは、その操作領域に触れるだけで操作が可能であるため、その良好な操作性から様々な機器において用いられている。
【０００３】
例えば、特許文献１に示される車両の合図表示装置においては、ハザードランプの点滅やホーンの鳴動を実行するスイッチに静電スイッチを用いることで操作性の向上を実現している。
【特許文献１】特開２００５−４１３４７
【発明の開示】
【発明が解決しようとする課題】
【０００４】
しかしながら、特許文献１の装置では、静電スイッチの操作領域に接触されたことを検出すると、操作領域に割り当てられた動作を直ちに実行してしまうので、例えば、接触する意図のない操作領域に触れるという誤操作をしてしまった場合、不適切なハザードランプの点滅やホーンの鳴動がなされてしまうという問題があり、危険な状態に陥るおそれがあった。また、特に車両走行中は、利用者は走行方向に注意を向ける必要があるので、これら操作領域は目視されずに手探りで接触されることになり、より誤操作が起こりやすいという問題があった。そして、本発明が解決しようとする課題としては、操作領域への誤操作によって不適切な動作がなされるという問題と、操作領域を目視することなく操作したとき誤操作が起こりやすいという問題とがそれぞれ一例としてあげられる。
【０００５】
したがって、本発明の目的は、操作領域への誤操作による不適切な動作を防ぐことができ、且つ、操作領域を目視することなく操作する場合の誤操作を防ぐことができる操作監視装置、その操作監視装置を備えたナビゲーション装置、および、その操作監視装置で用いられる操作監視方法を提供することにある。
【課題を解決するための手段】
【０００６】
上記課題を解決するため本発明によりなされた請求項１に記載の操作監視装置は、１または複数の操作領域を備え且つ利用者に接触される操作部と、前記操作部における接触位置を検出する検出手段と、前記検出手段が検出した接触位置に基づいて前記利用者によって選択された前記操作領域を特定する操作領域特定手段と、を有する操作監視装置において、前記操作領域特定手段によって特定された操作領域を前記利用者に認識させるための通知を行う操作領域通知手段と、前記操作領域通知手段が前記特定された操作領域を通知したあと、前記検出手段の検出した接触位置を監視し、該接触位置に基づいて前記特定された操作領域の選択が確定されたか又は選択が取り消されたかを検出する操作検出手段と、を有することを特徴とするものである。
【０００７】
請求項６に記載のナビゲーション装置は、請求項１〜５のいずれか一項に記載の操作監視装置を有することを特徴とするものである。
【０００８】
請求項７に記載の操作監視方法は、１または複数の操作領域を備え且つ利用者に接触される操作部と、前記操作部における接触位置を検出する検出手段と、を有する操作監視装置において用いられる操作監視方法であって、前記検出手段が検出した接触位置に基づいて前記利用者によって選択された前記操作領域を特定する操作領域特定工程と、前記操作領域特定工程において特定された操作領域を前記利用者に認識させるための通知を行う操作領域通知工程と、前記特定された操作領域を通知したあと、前記検出手段の検出した接触位置を監視し、該接触位置に基づいて前記特定された操作領域の選択が確定されたか又は選択が取り消されたかを検出する操作検出工程と、を有することを特徴とする方法である。
【発明を実施するための最良の形態】
【０００９】
次に、本発明にかかる操作監視装置の一実施形態を、図１の図面を参照して説明する。なお、図１は本発明に係る操作監視装置の基本構成の一例を示す構成図である。
【００１０】
操作監視装置１は、図１に示すように、１または複数の操作領域５を備え且つ利用者に接触される操作部４と、前記操作部４における接触位置を検出する検出手段１０と、前記検出手段１０が検出した接触位置に基づいて前記利用者によって選択された前記操作領域５を特定する操作領域特定手段２０ａと、を有し、そして、前記操作領域特定手段２０ａによって特定された操作領域５を前記利用者に認識させるための通知を行う操作領域通知手段２０ｂと、前記操作領域通知手段２０ｂが前記特定された操作領域５を通知したあと、前記検出手段１０の検出した接触位置を監視し、該接触位置に基づいて前記特定された操作領域５の選択が確定されたか又は選択が取り消されたかを検出する操作検出手段２０ｃと、を有している。
【００１１】
操作監視装置１によれば、操作領域通知手段２０ｂが、操作領域特定手段２０ａによって特定された操作領域５を、利用者に認識させるための通知を行うことから、利用者がその通知により接触した操作領域５を認識できるので、操作領域５を目視することなく意図した操作領域５に接触（即ち、操作領域５を選択）したかどうかを判断することができる。また、その通知のあとに、操作検出手段２０ｃが、特定された操作領域５の選択が確定されたか又は選択が取り消されたかを検出することから、利用者が操作領域５に接触した時点ではその選択が確定されず、操作領域通知手段２０ｂの通知に基づいて、選択を確定させる操作または選択を取り消す操作ができるので、例えば、意図しない操作領域５に接触してしまった場合など、選択を取り消す操作によって操作領域５の選択を取り消すことで誤操作を防止することができる。よって、操作領域５への誤操作による不適切な動作を防ぐことが可能となり、且つ、操作領域５を目視することなく操作する場合の誤操作を防ぐことができる。
【００１２】
また、前記操作検出手段２０ｃが、前記特定された操作領域５への接触が予め定められた選択確定時間以上継続したとき前記選択が確定されたことを検出し、且つ、前記特定された操作領域５への接触が前記選択確定時間未満で離れたとき前記選択が取り消されたことを検出する手段であってもよい。このようにすることにより、接触した操作領域５が意図したものであれば一定時間接触を継続して選択を確定でき、接触した操作領域５が意図しないものであれば一定時間未満で接触を離すことで選択を取り消すことができるので、容易な操作で選択の確定または選択の取消ができ、操作監視装置１の操作性を向上させることができる。
【００１３】
また、前記操作部４が、前記操作領域５に近接して配置された選択取消領域６を備えており、前記操作検出手段２０ｃが、前記特定された操作領域５への接触が離れたとき前記選択が確定されたことを検出し、且つ、前記特定された操作領域５への接触が前記操作部４への接触を維持したままスライドされて前記選択取消領域６に移動したとき前記選択が取り消されたことを検出する手段であってもよい。このようにすることにより、接触した操作領域５が意図したものであればその操作領域５から接触を離すことで選択を確定でき、接触した操作領域５が意図しないものであれば選択取消領域６に接触を移動することで選択を取り消すことができるので、容易な操作で選択の確定または選択の取消ができ、操作監視装置１の操作性を向上させることができる。
【００１４】
また、前記操作領域通知手段２０ｂが、音声による通知を行う手段であってもよい。このようにすることにより、利用者が操作領域５を目視することなく、接触した操作領域５を認識することができるので、例えば、車両走行中における操作などにおいて、利用者が走行方向に注意を向けたまま適切な操作ができ、より安全な操作が可能となって、操作監視装置１の操作性をさらに向上させることができる。
【００１５】
また、前記操作領域５が、前記利用者が接触によって前記操作領域５を区別するためにその接触面に突出して形成された識別突出部を有していてもよい。このようにすることにより、操作領域通知手段２０ｂによる通知に加え、操作領域５に対する触感によっても接触した操作領域５を判断することができるため、接触した操作領域５が意図したものかどうかの判断がさらに容易にでき、操作監視装置１の操作性をさらに向上させることができる。
【００１６】
また、ナビゲーション装置に請求項１〜５のいずれか一項に記載の操作監視装置１を備えてもよい。このようにすることにより、利用者が前記通知により接触した操作領域５を認識できるので、操作領域５を目視することなく意図した操作領域５に接触（即ち、操作領域５を選択）したかどうかを判断することができる。また、利用者が操作領域５に接触した時点ではその選択が確定されず、前記通知に基づいて、選択を確定させる操作または選択を取り消す操作ができるので、例えば、意図しない操作領域５に接触してしまった場合など、選択を取り消す操作によって操作領域５の選択を取り消すことで誤操作を防止することができる。よって、操作領域５への誤操作による不適切な動作を防ぐことが可能となり、且つ、操作領域５を目視することなく操作する場合の誤操作を防ぐことができる。
【００１７】
本発明の一実施形態にかかる操作監視方法は、１または複数の操作領域５を備え且つ利用者に接触される操作部４と、前記操作部４における接触位置を検出する検出手段１０と、を有する操作監視装置１において用いられる操作監視方法であって、前記検出手段１０が検出した接触位置に基づいて前記利用者によって選択された前記操作領域５を特定する操作領域特定工程と、前記操作領域特定工程において特定された操作領域５を前記利用者に認識させるための通知を行う操作領域通知工程と、前記特定された操作領域５を通知したあと、前記検出手段１０の検出した接触位置を監視し、該接触位置に基づいて前記特定された操作領域５の選択が確定されたか又は選択が取り消されたかを検出する操作検出工程と、を有している。
【００１８】
この操作監視方法によれば、操作領域特定工程において特定した操作領域５を、利用者に認識させるための通知を行うことから、利用者がその通知により接触した操作領域５を認識できるので、操作領域５を目視することなく意図した操作領域５に接触（即ち、操作領域５を選択）したかどうかを判断することができる。また、その通知のあとの操作検出工程において、特定された操作領域５の選択が確定されたか又は選択が取り消されたかを検出することから、利用者が操作領域５に接触した時点ではその選択が確定されず、操作領域通知工程における通知に基づいて選択を確定させる操作または選択を取り消す操作ができるので、例えば、意図しない操作領域５に接触してしまった場合など、選択を取り消す操作によって操作領域５の選択を取り消すことで誤操作を防止することができる。よって、操作領域５への誤操作による不適切な動作を防ぐことが可能となり、操作領域５を目視することなく操作する場合の誤操作を防ぐことができる。
【００１９】
（実施例１）
次に、本発明の第１の実施形態について、図２〜９を参照して説明する。なお、第１の実施形態および後述の第２の実施形態においては、車両等に搭載されるナビゲーション装置への適用例について記載しているが、これ以外にも、接触を検出するスイッチによって操作する装置であれば適用が可能である。
【００２０】
図２は、音楽再生機能を有するナビゲーション装置２の全体構成を示すブロック図である。ナビゲーション装置２は、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）３１と、ＲＡＭ（Ｒａｎｄｏｍ  Ａｃｃｅｓｓ  Ｍｅｍｏｒｙ）３２と、ＨＤＤ（Ｈａｒｄ  Ｄｉｓｋ  Ｄｒｉｖｅ）３３と、操作部４と、操作検出部１０と、表示部４１と、センサ部４４と、ＧＰＳ（Ｇｒｏｂａｌ  Ｐｏｓｉｔｉｏｎｉｎｇ  Ｓｙｓｔｅｍ）受信部４５と、マルチメディア処理部５１と、を備えており、それぞれがバス６０によって互いに接続されている。
【００２１】
ＣＰＵ２０は、ナビゲーション装置２全体の動作を制御する。ＣＰＵ２０は、ナビゲーション装置２の各構成要素とバス６０を介して接続され、ＲＯＭ３１に格納される制御プログラムを読み出して実行し、ＲＡＭ３２に処理中のデータを一時的に保持する。なお、ＲＯＭ３１に格納される制御プログラムには、ＣＰＵ２０を、操作領域特定手段、操作領域通知手段、および、操作検出手段として機能させるプログラムが含まれる。そして、ＣＰＵ２０は当該制御プログラムを読み出して実行し、操作領域特定手段、操作領域通知手段、および、操作検出手段として機能する。また、ＲＯＭ３１には、前記制御プログラムの他に、操作部４への接触判定に用いる発振回路１２の定常周波数、操作領域５への接触を判定するための接触基準周波数、操作領域５の選択を確定する接触が一定時間行われたかどうか判定するための選択確定時間、および、接触された操作領域５を通知するための通知メッセージデータ、などが格納されている。また、本実施形態においては、定常周波数は３００、接触基準周波数は１００、選択確定時間は２秒に、設定されている。
【００２２】
操作部４は、図５に示すように、合成樹脂で形成された平板状のパネル６１表面下部に位置し、操作部４上にはナビゲーション装置２の操作をするための操作領域５ａ〜５ｃ、および、音量調整のための音量調整領域７ａ、７ｂを示す印刷が施されており、詳細には、操作領域５ａにはＤＶＤ（Ｄｉｇｉｔａｌ  Ｖｅｒｓａｔｉｌｅ  Ｄｉｓｋ）または、ＣＤ−ＲＯＭ（Ｃｏｍｐａｃｔ  Ｄｉｓｃ  Ｒｅａｄ  Ｏｎｌｙ  Ｍｅｍｏｒｙ）を載せるディスクトレイの開閉を示す「ＯＰＥＮ／ＣＬＯＳＥ」、操作領域５ｂにはナビゲーション機能の起動を示す「ＮＡＶＩ」、操作領域５ｃにはオーディオ機能の起動を示す「ＡＵＤＩＯ」、音量調整領域７ａには音量アップを示す「▲」、音量調整領域７ｂには音量ダウンを示す「▼」、がそれぞれ配されている。そして、操作領域５ａ〜５ｃに隣接して選択取消領域６が配設されているが、特にその領域を示す印刷等は施されていない。
【００２３】
操作検出部１０は、請求項の検出手段に相当し、図３に示すように、パッド１１ａ〜１１ｆと、前記パッド１１ａ〜１１ｆに接続された発振回路１２ａ〜１２ｆと、発振回路１２ａ〜１２ｆに接続されたカウンタ１３ａ〜１３ｆと、を備えている。
【００２４】
パッド１１ａ〜１１ｆは、図６、７に示すように、パネル６１裏面側に接するように回路基板６２上に設けられた、例えば、銅等からなる矩形状の金属箔である。また、パッド１１ａ〜１１ｆは、操作領域５ａ〜５ｃ、音量調整領域７ａ、７ｂ、および、選択取消領域６と、それぞれ重ね合わさる位置に配設されている。パッド１１ａ〜１１ｆは、回路基板６２に配設される図示しない配線パターンと同様にエッチング等によって形成されており、図４に示すように、利用者の指などが近づくことによって、接地部（ＧＮＤ）との間に静電容量（即ち、仮想的なコンデンサＣｘ）を生じ、また、指などの近づき度合いによってその静電容量が変化するものである。
【００２５】
発振回路１２ａ〜１２ｆは、図４に示すように、シュミットトリガ形のインバータ（論理反転）ＩＣ（Ｉｎｔｅｇｒａｔｅｄ  Ｃｉｒｃｕｉｔ、集積回路）、インバータＩＣと並列に接続された帰還抵抗用の固定抵抗器Ｒ、および、直線性補正用のコンデンサＣからなり、インバータＩＣの入力端子には、パッド１１ａ〜１１ｆがそれぞれ接続されている。そして、発振回路１２ａ〜１２ｆは、電源が投入されると定常周波数で発振し、それぞれのインバータＩＣの入力端子に接続されるパッド１１ａ〜１１ｆが生じる静電容量により、その発振周波数が変化するものである。
【００２６】
カウンタ１３ａ〜１３ｆは、発振回路１２ａ〜１２ｆに接続されており、それらの単位時間あたりの発振回数をカウントするＩＣである。そして、カウンタ１３ａ〜１３ｆには、それら内部にカウント数が格納された読み出し専用のレジスタが設けられており、ＣＰＵ２０からのアクセスが可能なように、バス６０に接続されている。また、レジスタに格納されたカウント数は常に現時点の値を示すよう常時更新されている。
【００２７】
そして、上記パッド１１ａ〜１１ｆ、発振回路１２ａ〜１２ｆ、カウンタ１３ａ〜１３ｆによって、パッド１１への接触状態（近づき度合い）に応じて変化する発振回路１２の発振周波数をカウンタ１３でカウントすることにより、操作領域５ａ〜５ｃ、音量調整領域７ａ、７ｂ、および、選択取消領域６への接触状態を検出する。また発振回路１２においては、接触がないときは回路定数で定まる一定の周波数（即ち、定常周波数）で発振し、接触が近づくほどパッド１１の静電容量が増加して発振周波数が低下する。これら回路動作については特開平１０−１０４２９２にその詳細が開示されている。
【００２８】
操作領域への接触判定の一例を示すと、例えば、図８に示すような操作部４（詳細には、操作領域５ａの右端、および、操作領域５ａと操作領域５ｂとの間）への接触に応じて、カウンタ１３ａのカウント数が５０、カウンタ１３ｂのカウント数が１５０、カウンタ１３ｃのカウント数が３００、カウンタ１３ｆのカウント数が２００、という値に変化したとすると、各カウント数と接触基準周波数（即ち、１００）とを比較して、カウント数が接触基準周波数より小さいとき、そのカウント数が格納されていたカウンタを特定し、発振回路を介してそのカウンタに接続されたパッドに積層された操作領域が接触されたものと判定する。上記例では、カウンタ１３ａのカウント数が接触基準周波数より小さいので、カウンタ１３ａに対応する操作領域５ａが接触されたものと判定する。なお、音量調整領域７ａ、７ｂ、および、選択取消領域６についても、上記と同様に、それら領域に対応するカウンタのカウント数に基づいて、それら領域への接触を判定する。
【００２９】
表示部４１は、ＬＣＤディスプレイ４２と表示制御部（図示なし）と音声処理部４３とで構成され、利用者に対して映像情報および音声情報を表示するものである。ＬＣＤディスプレイ４２は、画像や文字情報を表示する表示手段であり、液晶表示素子などから構成されている。表示制御部は、ＬＣＤディスプレイ４２に表示する表示データを生成する手段であり、集積回路等で構成される。ＬＣＤディスプレイ４２は、パネル６１上に配設されており、表示制御部の生成する画像信号に基づいて、ナビゲーション装置２の操作を行う機能メニュー画面や音楽再生操作を行う曲名選択操作画面等の各種操作画面、地図や車両位置が表示されるナビゲーション画像、または、映画などの映像等が表示される。
【００３０】
音声処理部４３は、例えば、パルス符号変調された音声データを可聴信号に変換して音声として出力する音声処理ＩＣなどからなり、ＣＰＵ２０の制御の下、ＲＯＭ３１又はマルチメディア処理部５１などから音声データを取得して、接触が検出された操作領域を通知する通知メッセージ音声、車両の進路をナビゲートする音声、または、音楽などを出力する。
【００３１】
ＨＤＤ３３は、例えば数ＧＢ〜数十ＧＢの記憶容量を有し、種々の圧縮方法で圧縮された、あるいは、非圧縮の画像データや、音楽データ等のコンテンツデータ、および、利用者データ等を記憶する。ナビゲーション装置２の動作時に、ＣＰＵ２０または後述のマルチメディア処理部５１によって、ＨＤＤ３３に記憶されているデータへのアクセスが行われる。
【００３２】
センサ部４４は、自車位置を検出するために必要な各種センサを含んで構成されている。具体的には、車両の走行状態を検出するための距離センサ、方位センサ、Ｇセンサ等を含んでいる。なお、Ｇセンサは、傾斜を判断するセンサであり、これにより上下に並行して走る道路の判断（例えば、高速道路と一般道の判断）や上下に交差した道路の判断等を行う。
【００３３】
ＧＰＳ受信部４５は、ＧＰＳ衛星からの電波を受信し、測位データを出力する。センサ部４４からのセンサ出力とＧＰＳ受信部４５からの測位データに基づいて、ＣＰＵ２０が総合的に走行車両の現在地を検出する。
【００３４】
マルチメディア処理部５１は、ＤＳＰ（Ｄｉｇｉｔａｌ  Ｓｉｇｎａｌｌｉｎｇ  Ｐｒｏｃｅｓｓｏｒ）等で構成され、ＣＰＵ２０からの再生要求に従い、ＨＤＤ３３に記憶されている画像データや音声データを、表示部４１で取り扱い可能な情報形式に復号処理して、表示部４１に送信するものである。ＨＤＤ３３に記憶されている画像データのデータ形式には、例えば、動画ではＭＰＥＧ４（Ｍｏｖｉｎｇ  Ｐｉｃｔｕｒｅ  Ｅｘｐｅｒｔｓ  Ｇｒｏｕｐ  ４）等、静止画ではＪＰＥＧ（Ｊｏｉｎｔ Ｐｈｏｔｏｇｒａｐｈｉｃ Ｅｘｐｅｒｔｓ Ｇｒｏｕｐ）等の画像符号化方式が用いられており、マルチメディア処理部５１での画像復号処理により伸長された画像信号は、表示部４１の表示制御部に送られてＬＣＤディスプレイ４２に表示される。また、音楽データのデータ形式には、ＭＰ３（ＭＰＥＧ−１  Ａｕｄｉｏ  Ｌａｙｅｒ  ３）、ＡＡＣ（Ａｄｖａｎｃｅｄ  Ａｕｄｉｏ  Ｃｏｄｉｎｇ）等の音声符号化方式が用いられており、画像データと同様に、マルチメディア処理部５１での音声復号処理により伸長された音声データは、表示部４１の音声処理部に送られ可聴信号として再生される。なお、画像データや音声データを記憶する記憶媒体は、ＨＤＤ３３に限定されるものではなく、ＤＶＤ（Ｄｉｇｉｔａｌ  Ｖｅｒｓａｔｉｌｅ  Ｄｉｓｋ）等の記憶媒体でもよい。
【００３５】
次にナビゲーション装置２の操作領域５ａ〜５ｃ選択時における、ＣＰＵ２０が行う本発明にかかる処理（操作領域選択処理）の一例について、図９のフローチャートを参照して説明する。なお、音量調整領域７ａ、７ｂについては誤操作の影響が小さいため、本発明に係る処理は適用しない。また、第１の実施形態において、選択取消領域６、パッド１１ｆ、発振回路１２ｆ、カウンタ１３ｆは使用しない。
【００３６】
ナビゲーション装置２に電源が投入されて所定の初期化処理がなされた後、ＣＰＵ２０は、ステップＳ１１０の処理に進む。
【００３７】
ＣＰＵ２０は操作検出部１０内のカウンタ１３ａ〜１３ｅに設けられた各レジスタを参照してカウント数を取得し、各カウント数に基づいて操作部４に対する接触があったかどうかを判定する（Ｓ１１０）。詳細には、ＲＯＭ３１に格納されている定常周波数と取得した各カウント数とを比較して、定常周波数より小さいカウント数が検出されたときは操作部４に対する接触ありと判定してステップＳ１２０に進み（Ｓ１１０でＹ）、各カウント数が定常周波数以上のときは接触なしと判定して、引き続き、前記レジスタを参照して操作部４への接触有無を監視する（Ｓ１１０でＮ）。
【００３８】
操作部４に対する接触ありと判定すると、取得した各カウント数を互いに比較して、最小カウント数（即ち、接触位置）を判定する（Ｓ１２０）。そして、ステップＳ１３０に進む。
【００３９】
次に、操作領域５ａ〜５ｃへの接触を判定する。即ち、最小カウント数だったカウンタに対応する操作領域が、操作領域５ａ〜５ｃのいずれかに該当するかを判定し、該当する場合はさらに最小カウント数が接触基準周波数より小さいかどうかを判定する（Ｓ１３０）。操作領域５ａ〜５ｃのいずれかに該当し、且つ、最小カウント数が接触基準周波数より小さいときは、操作領域５ａ〜５ｃのいずれかへの接触がなされたものとして、次のステップに進む（Ｓ１３０でＹ）。これ以外の場合は、操作領域５ａ〜５ｃへの接触がないものとして本フローチャートの処理を終了する（Ｓ１３０でＮ）。
【００４０】
操作領域５ａ〜５ｃのいずれかへの接触があったと判定すると、各カウント数に基づいて、操作領域５ａ〜５ｃの中から接触（即ち、選択）されている領域を特定し、特定した操作領域をＲＡＭ３２に一時的に記憶して、操作領域への接触時間を計測するタイマをスタートさせる（Ｓ１４０）。そして、ステップＳ１５０に進む。
【００４１】
次に、特定した操作領域を利用者に通知するために、音声処理部４３に対して、特定した操作領域に対応する可聴信号を発生させる命令を送信する（Ｓ１５０）。これにより、音声処理部４３は、ＲＯＭ３１に格納されている通知メッセージ（例えば、「ディスクトレイ開閉スイッチを選択しています」、「ＮＡＶＩスイッチを選択しています」、「ＡＵＤＩＯスイッチを選択しています」など）データを取得して、可聴信号に変換して（即ち、音声メッセージを）出力する。そして、ステップＳ１６０に進む。
【００４２】
次に、再度、カウンタ１３ａ〜１３ｅに設けられた各レジスタを参照してカウント数を取得し、取得した各カウント数を互いに比較して、最小カウント数（即ち、接触位置）を判定する（Ｓ１６０）。そして、次のステップに進む。
【００４３】
次に、特定した操作領域が接触され続けているかを判断する。詳細には、最小カウント数だったカウンタに対応する操作領域が、ＲＡＭ３２に記憶した操作領域と一致するかどうかを判定し、一致した場合は、さらに、最小カウント数が接触基準周波数より小さいかどうかを判定する（Ｓ１７０）。それぞれの操作領域が一致し且つ最小カウント数が接触基準周波数より小さいとき、特定した操作領域への接触が継続されているものと判断して、ステップＳ１８０に進む（Ｓ１７０でＹ）。これ以外の場合は、特定した操作領域への接触がないと判断して、ステップＳ１７５に進む（Ｓ１７０でＮ）。
【００４４】
特定した操作領域への接触がないと判断したあと、他の操作領域が接触されているかを判断する。詳細には、最小カウント数だったカウンタに対応する操作領域が、操作領域５ａ〜５ｃのいずれかに該当するか判定し、該当する場合は、さらに、最小カウント数が接触基準周波数より小さいかを判定する（Ｓ１７５）。そして、操作領域５ａ〜５ｃのいずれかに該当し、且つ、最小カウント数が接触基準周波数より小さいときは、他の操作領域へ接触が移動したものとして、つまり、他の操作領域が新たに選択されたものと判断し、ステップＳ１４０でスタートしたタイマをリセットして、ステップＳ１４０に進む（Ｓ１７５でＹ）。これ以外の場合は、特定した操作領域への接触が選択確定時間経過前に離れたものと判断して本フローチャートの処理を終了する（Ｓ１７５でＮ）。
【００４５】
特定した操作領域への接触が継続されていると判断すると、ステップＳ１４０でスタートしたタイマを参照し、選択確定時間以上経過しているか判定する（Ｓ１８０）。選択確定時間以上経過しているときは、ステップＳ１９０に進む（Ｓ１８０でＹ）。選択確定時間未満であれば、再度カウント数の取得を行うためステップＳ１６０に進む（Ｓ１８０でＮ）。
【００４６】
タイマで計測している時間が選択確定時間以上経過していると判断すると、特定した操作領域の選択を確定し、該選択確定された操作領域に対応する処理を呼び出す（Ｓ１９０）。そして、本フローチャートの処理を終了する。
【００４７】
そして、ナビゲーション装置２の操作領域を選択するときは、上記ステップＳ１１０〜Ｓ１９０の動作を繰り返して実行する。なお、上記ステップＳ１４０は、請求項の操作領域特定工程に相当し、ステップＳ１５０は、請求項の操作領域通知工程に相当し、ステップＳ１７０、Ｓ１７５、および、Ｓ１８０は、請求項の操作検出工程に相当する。
【００４８】
次に、第１の実施形態のナビゲーション装置２において、利用者の操作に伴う動作例について説明する。
【００４９】
まず、ナビゲーション装置２は、操作部４への接触を監視し、例えば、利用者が操作領域５ａに接触すると、操作検出部１０内のカウンタ１３ａ〜１３ｅにおけるカウント数に変化が現れて、その接触が検出される。そして、各カウント数から操作領域５ａが接触（選択）されていることが特定されると、操作領域５ａが接触されている旨の音声メッセージ（例えば、「ディスクトレイ開閉スイッチが選択されています」）を出力し、接触時間の計測を開始する。そして、操作部４への接触を引き続き監視する。
【００５０】
そして、接触時間が選択確定時間（２秒）を経過した場合は、操作領域５ａの選択が確定されたものとして、操作領域５ａに割り当てられたナビゲーション装置２の動作を実行する。
【００５１】
また、接触時間が選択確定時間に至る前に、他の操作領域、例えば、操作領域５ｂに接触が移動したときは、操作領域５ｂが新たに特定されたものとして、操作領域５ｂが接触されている旨の音声メッセージ（例えば、「ＮＡＶＩスイッチが選択されています」）を出力し、接触時間の計測をリセットしたのち再度計測を開始する。そして、操作部４への接触を引き続き監視する。
【００５２】
また、接触時間が選択確定時間に至る前に操作領域５ａへの接触が離れ且つ他の操作領域５ｂ、５ｃへの接触もない場合は、操作領域５ａが選択されなかったものとして動作を終了する。
【００５３】
本実施形態によれば、利用者が音声メッセージによって、接触した操作領域５ａ〜５ｃを認識できるので、操作領域５ａ〜５ｃを目視することなく意図した操作領域に接触（即ち、操作領域を選択）したかどうかを判断することができる。また、利用者が操作領域５ａ〜５ｃに接触した時点ではその選択が確定されず、前記音声メッセージに基づいて、操作領域の選択を確定させる操作または選択を取り消す操作ができるので、例えば、意図しない操作領域に接触してしまった場合など、選択を取り消す操作によって操作領域の選択を取り消すことで誤操作を防止することができる。よって、操作領域５ａ〜５ｃへの誤操作による不適切な動作を防ぐことが可能となり、且つ、操作領域５ａ〜５ｃを目視することなく操作する場合の誤操作を防ぐことができる。
【００５４】
また、接触した操作領域が意図したものであれば、選択確定時間以上その接触を継続することで選択を確定でき、接触した操作領域が意図しないものであれば、選択確定時間が経過する前にその接触を離すことで選択を取り消すことができるので、容易な操作で選択の確定または選択の取消ができ、操作性を向上させることができる。
【００５５】
また、特定した操作領域への接触時間が選択確定時間に至る前に、特定した操作領域への接触を他の操作領域に移動することで、新たに他の操作領域を選択することができるので、意図しない操作領域に接触してしまった場合など、一連の操作で操作領域の再選択を行うことができ、操作性を向上させることができる。
【００５６】
また、音声メッセージによって接触した操作領域が通知されることから、利用者が操作領域５ａ〜５ｃを目視することなく、接触した操作領域を認識することができるので、例えば、車両走行中における操作などにおいて、利用者が走行方向に注意を向けたまま適切な操作ができ、より安全な操作が可能となって、操作性をさらに向上させることができる。
【００５７】
（実施例２）
次に、本発明の第２の実施形態について、図２〜８、図１０を参照して説明する。なお、本実施形態におけるナビゲーション装置２の構成については、前述した第１の実施形態と同一であり、同一部分には同一符号を付して説明を省略する。
【００５８】
以下に、ナビゲーション装置２の操作領域５ａ〜５ｃ選択時における、ＣＰＵ２０が行う本発明にかかる処理（操作領域選択処理）の一例について、図１０のフローチャートを参照して説明する。なお、音量調整領域７ａ、７ｂについては誤操作の影響が小さいため、本発明に係る処理は適用しない。また、フローチャートのステップＳ１１０〜Ｓ１３０、Ｓ１５０、Ｓ１６０については、前述した第１の実施形態と同一であり、同一部分には同一符号を付して説明を省略する。
【００５９】
ステップＳ２４０では、操作領域への接触があったと判定すると、各カウント数に基づいて、操作領域５ａ〜５ｃの中から接触（即ち、選択）されている領域を特定し、特定した操作領域をＲＡＭ３２に一時的に記憶する（Ｓ２４０）。そして、ステップＳ１５０に進む。
【００６０】
ステップＳ２７０では、選択取消領域６が接触されているかを判断する。詳細には、ステップＳ１６０で最小カウント数と判定されたカウンタが選択取消領域６に対応するカウンタ１３ｆであるかどうかを判定し、カウンタ１３ｆと判定された場合は、さらに、最小カウント数が接触基準周波数より小さいかどうかを判定する（Ｓ２７０）。最小カウント数がカウンタ１３ｆのものであり、且つ、最小カウント数が接触基準周波数より小さいと判定されると、特定された操作領域の選択が取り消されたものと判断して本フローチャートの処理を終了する（Ｓ２７０でＹ）。これ以外の場合は、ステップＳ２７５に進む（Ｓ２７０でＮ）。
【００６１】
ステップＳ２７５では、他の操作部への接触があるかを判断する。詳細には、最小カウント数のカウンタに対応する操作領域が、操作領域５ａ〜５ｃに該当するかどうかを判定し、該当すると判定された場合は、さらに、最小カウント数のカウンタに対応する操作領域と、ＲＡＭ３２に格納された操作領域と、が一致するかどうかを判定し、一致しないと判定された場合は、さらに、最小カウント数が接触基準周波数より小さいかどうかを判定する（Ｓ２７５）。そして、最小カウント数のカウンタに対応する操作領域が操作領域５ａ〜５ｃに該当し、且つ、ＲＡＭ３２に格納された操作領域とは一致せず、且つ、最小カウント数が接触基準周波数より小さいと判定されると、他の操作領域が接触されたものと判断して、ステップＳ２４０に進む（Ｓ２７５でＹ）。これ以外の場合は、ステップＳ２８０に進む（Ｓ２７５でＮ）。
【００６２】
ステップＳ２８０では、特定した操作領域への接触があるかを判断する。詳細には、最小カウント数のカウンタに対応する操作領域と、ＲＡＭ３２に格納された操作領域と、が一致するかどうかを判定し、一致すると判定された場合は、さらに、最小カウント数が接触基準周波数より小さいかどうかを判定する（Ｓ２８０）。そして各操作領域が一致し、且つ、最小カウント数が接触基準周波数より小さいと判定されたときは、特定した操作領域への接触があるものと判断して、ステップＳ１６０に進む（Ｓ２８０でＹ）。これ以外の場合は、特定した操作領域から接触が離れたと判断し、ステップＳ２９０に進む（Ｓ２８０でＮ）。
【００６３】
特定した操作領域から接触が離れたと判断すると、特定した操作領域の選択を確定し、即ち、ＲＡＭ３２に記憶されている操作領域の選択が確定したものと判断して、該選択確定された操作領域に対応する処理を呼び出す（Ｓ２９０）。そして、本フローチャートの処理を終了する。
【００６４】
そして、ナビゲーション装置２の操作領域を選択するときは、上記ステップＳ１１０〜Ｓ２９０の動作を繰り返して実行する。なお、上記ステップＳ２４０は、請求項の操作領域特定工程に相当し、ステップＳ１５０は、請求項の操作領域通知工程に相当し、ステップＳ２７０、Ｓ２７５、および、Ｓ２８０は、請求項の操作検出工程に相当する。
【００６５】
次に、第２の実施形態のナビゲーション装置２において、利用者の操作に伴う動作例について説明する。
【００６６】
まず、ナビゲーション装置２は、操作部４への接触を監視し、利用者が操作領域５ａに接触すると、操作検出部１０内のカウンタ１３ａ〜１３ｆにおけるカウント数に変化が現れて、その接触が検出される。そして、各カウント数から操作領域５ａが接触（選択）されていることが特定されると、操作領域５ａが接触されている旨の音声メッセージ（例えば、「ディスクトレイ開閉スイッチが選択されています」）を出力する。そして、操作部４への接触を引き続き監視する。
【００６７】
そして、操作領域５ａへの接触が離れた且つ他の操作領域５ｂ、５ｃへの接触もない場合は、操作領域５ａの選択が確定されたものとして、操作領域５ａに割り当てられたナビゲーション装置２の動作を実行する。
【００６８】
また、他の操作領域、例えば、操作領域５ｂに接触が移動したときは、操作領域５ｂが新たに特定されたものとして、操作領域５ｂが接触されている旨の音声メッセージ（例えば、「ＮＡＶＩスイッチが選択されています」）を出力する。そして、操作部４への接触を引き続き監視する。
【００６９】
また、選択取消領域６が接触された場合は、操作領域５ａが選択されなかったものとして動作を終了する。
【００７０】
本実施形態によれば、利用者が音声メッセージによって、接触した操作領域５ａ〜５ｃを認識できるので、操作領域５ａ〜５ｃを目視することなく意図した操作領域に接触（即ち、操作領域を選択）したかどうかを判断することができる。また、利用者が操作領域５ａ〜５ｃに接触した時点ではその選択が確定されず、前記音声メッセージに基づいて、操作領域の選択を確定させる操作または選択を取り消す操作ができるので、例えば、意図しない操作領域に接触してしまった場合など、選択を取り消す操作によって操作領域の選択を取り消すことで誤操作を防止することができる。よって、操作領域５ａ〜５ｃへの誤操作による不適切な動作を防ぐことが可能となり、且つ、操作領域５ａ〜５ｃを目視することなく操作する場合の誤操作を防ぐことができる。
【００７１】
また、接触した操作領域が意図したものであればその操作領域から接触を離すことで選択を確定でき、接触した操作領域が意図しないものであれば選択取消領域６に接触を移動することで選択を取り消すことができるので、容易な操作で選択の確定または選択の取消ができ、操作性を向上させることができる。
【００７２】
また、特定した操作領域への接触を、操作部４への接触を維持したまま、他の操作領域に移動することで、新たに他の操作領域を選択することができるので、意図しない操作領域に接触してしまった場合など、一連の操作で操作領域の再選択を行うことができ、操作性を向上させることができる。
【００７３】
また、音声メッセージによって接触した操作領域が通知されることから、利用者が操作領域５ａ〜５ｃを目視することなく、接触した操作領域を認識することができるので、例えば、車両走行中における操作などにおいて、利用者が走行方向に注意を向けたまま適切な操作ができ、より安全な操作が可能となって、操作性をさらに向上させることができる。
【００７４】
なお、第１および第２の実施形態においては、各操作領域５はパネル６１上に施された印刷で示されているが、例えば、図１１、１２に示すように、各操作領域毎に異なる形状の識別突出部９ａ〜９ｃを各操作領域の表面（接触面）に設けるなどして、接触によって操作領域を区別できるように形成しても良い。このようにすることにより、音声メッセージに加えて触感によっても接触している操作領域を判断できるため、より適切な操作が可能となる。また、音声メッセージによる通知以外にも、例えば、利用者の視認しやすい場所に各操作領域に対応したランプ等を設けて、そのランプの点灯又は点滅などにより接触された操作領域を通知しても良い。
【００７５】
また、第１および第２の実施形態においては、静電スイッチの静電容量をＲＣ発振回路の発振周波数に基づいて測定しているが、これに限定されるものではなく、例えば、静電スイッチの静電容量への充電時間を計測して静電容量を算出するなど、静電容量の変化を検出できる構成であればどのようなものでもよい。
【００７６】
前述した実施例によれば、以下のナビゲーション装置および操作監視方法が得られる。
【００７７】
（付記１）
１または複数の操作領域５ａ〜５ｃを備え且つ利用者に接触される操作部４と、前記操作部４における接触位置を検出する操作検出部１０と、前記操作検出部１０が検出した接触位置に基づいて前記利用者によって選択された前記操作領域５ａ〜５ｃを特定するＣＰＵ２０と、を有するナビゲーション装置２において、前記ＣＰＵ２０によって特定された操作領域５ａ〜５ｃを前記利用者に認識させるための通知を行うＣＰＵ２０と、前記ＣＰＵ２０が前記特定された操作領域５ａ〜５ｃを通知したあと、前記操作検出部１０の検出した接触位置を監視し、該接触位置に基づいて前記特定された操作領域５ａ〜５ｃの選択が確定されたか又は選択が取り消されたかを検出するＣＰＵ２０と、を有することを特徴とするナビゲーション装置２。
【００７８】
このナビゲーション装置２によれば、ＣＰＵ２０が、ＣＰＵ２０によって特定された操作領域５ａ〜５ｃを、利用者に認識させるための通知を行うことから、利用者がその通知により接触した操作領域５ａ〜５ｃを認識できるので、操作領域５ａ〜５ｃを目視することなく意図した操作領域５ａ〜５ｃに接触（即ち、操作領域５ａ〜５ｃを選択）したかどうかを判断することができる。また、その通知のあとに、ＣＰＵ２０が、特定された操作領域５ａ〜５ｃの選択が確定されたか又は選択が取り消されたかを検出することから、利用者が操作領域５ａ〜５ｃに接触した時点ではその選択が確定されず、ＣＰＵ２０の通知に基づいて、選択を確定させる操作または選択を取り消す操作ができるので、例えば、意図しない操作領域５ａ〜５ｃに接触してしまった場合など、選択を取り消す操作によって操作領域５ａ〜５ｃの選択を取り消すことで誤操作を防止することができる。よって、操作領域５ａ〜５ｃへの誤操作による不適切な動作を防ぐことが可能となり、且つ、操作領域５ａ〜５ｃを目視することなく操作する場合の誤操作を防ぐことができる。
【００７９】
（付記２）
１または複数の操作領域５ａ〜５ｃを備え且つ利用者に接触される操作部４と、前記操作部４における接触位置を検出する操作検出部１０と、を有するナビゲーション装置２において用いられる操作監視方法であって、前記操作検出部１０が検出した接触位置に基づいて前記利用者によって選択された前記操作領域５ａ〜５ｃを特定する操作領域特定工程と、前記操作領域特定工程において特定された操作領域５ａ〜５ｃを前記利用者に認識させるための通知を行う操作領域通知工程と、前記特定された操作領域５ａ〜５ｃを通知したあと、前記操作検出部１０の検出した接触位置を監視し、該接触位置に基づいて前記特定された操作領域５ａ〜５ｃの選択が確定されたか又は選択が取り消されたかを検出する操作検出工程と、を有することを特徴とする操作監視方法。
【００８０】
この操作監視方法によれば、操作領域特定工程において特定した操作領域５ａ〜５ｃを、利用者に認識させるための通知を行うことから、利用者がその通知により接触した操作領域５ａ〜５ｃを認識できるので、操作領域５ａ〜５ｃを目視することなく意図した操作領域５ａ〜５ｃに接触（即ち、操作領域５ａ〜５ｃを選択）したかどうかを判断することができる。また、その通知のあとの操作検出工程において、特定された操作領域５ａ〜５ｃの選択が確定されたか又は選択が取り消されたかを検出することから、利用者が操作領域５ａ〜５ｃに接触した時点ではその選択が確定されず、操作領域通知工程における通知に基づいて選択を確定させる操作または選択を取り消す操作ができるので、例えば、意図しない操作領域５ａ〜５ｃに接触してしまった場合など、選択を取り消す操作によって操作領域５ａ〜５ｃの選択を取り消すことで誤操作を防止することができる。よって、操作領域５ａ〜５ｃへの誤操作による不適切な動作を防ぐことが可能となり、操作領域５ａ〜５ｃを目視することなく操作する場合の誤操作を防ぐことができる。
【００８１】
なお、上述した各実施形態は、車両等の移動体に搭載されるナビゲーション装置への適用に関する記述であったが、本発明の代表的な形態を示したに過ぎず、本発明は、実施形態に限定されるものではない。即ち、ナビゲーション装置以外にも、カーオーディオ装置、ビデオレコーダ装置等、また、車載装置に限らず、ガスコンロや照明スイッチなどのホーム用機器等、接触を検知するスイッチを搭載できる装置であれば適用可能であり、本発明の骨子を逸脱しない範囲で種々変形して実施することができる。
【図面の簡単な説明】
【００８２】
【図１】本発明の操作監視装置の基本構成を示すブロック図である。
【図２】本発明の一覧表示装置を備えたナビゲーション装置の第１および第２の実施形態の構成を示すブロック図である。
【図３】図２の操作検出部の構成を示すブロック図である。
【図４】図３の発振回路の概略回路構成を示す図である。
【図５】図２の操作部に配された操作領域および選択取消領域の配置を示すパネルの正面図である。
【図６】図５のＸ−Ｘ線に沿う断面図である。
【図７】図５の操作領域および選択取消領域と、それらに対応するパッドの位置関係を示す図である。
【図８】図５の操作部への接触の一例を示す図である。
【図９】図２のＣＰＵ２０が行う第１の実施形態に係る操作領域選択処理の概要を示すフローチャートである。
【図１０】図２のＣＰＵ２０が行う第２の実施形態に係る操作領域選択処理の概要を示すフローチャートである。
【図１１】操作領域に識別突出部を設けた構成のパネルの正面図である。
【図１２】図１１のＹ−Ｙ線に沿う断面図である。
【符号の説明】
【００８３】
１      操作監視装置
２      ナビゲーション装置
４      操作部
５      操作領域
６      選択取消領域
１０    検出手段（操作検出部）
２０ａ  操作領域特定手段（ＣＰＵ）
２０ｂ  操作領域通知手段（ＣＰＵ）
２０ｃ  操作検出手段（ＣＰＵ）
【図１】
2009025017.tif 000003
【図２】
2009025017.tif 000004
【図３】
2009025017.tif 000005
【図４】
2009025017.tif 000006
【図５】
2009025017.tif 000007
【図６】
2009025017.tif 000008
【図７】
2009025017.tif 000009
【図８】
2009025017.tif 000010
【図９】
2009025017.tif 000011
【図１０】
2009025017.tif 000012
【図１１】
2009025017.tif 000013
【図１２】
2009025017.tif 000014